(57)【要約】【課題】洗い場の人物と入浴者とのコミュニケーション、又は入浴時の窓を介した開放感を、入浴者のニーズに応じて得ることができる浴槽ユニットを提供する。【達成手段】浴槽３の上縁の框２１の短辺２２同士及び長辺２３同士をそれぞれ同一長さに形成して浴槽３の設置方向を左右自在に反転させて設置できるようにした浴槽ユニットを前提とする。框２１の一方の長辺２３に洗い場３が隣接しているとともに、他方の長辺２３に出窓１５が隣接している。そして、框２１の一方又は他方の長辺２３側に位置する浴槽３の壁面２０２に、浴槽３への入浴時に腰掛け可能な段部２８を内方へ膨出させて設けている。框２１の両短辺２２を９９０ｍｍの寸法に設定している。【選択図】図１
2012239533.tif 000002
【特許請求の範囲】
【請求項１】
浴槽の上縁より外側に張り出す略矩形枠状の框を有し、この框の短辺同士及び長辺同士がそれぞれ同一長さに形成されて前記浴槽の設置方向を左右自在に設置できるようにした浴槽ユニットであって、
前記框の両長辺側のうちの一方の長辺側に位置する前記浴槽の壁面には、前記浴槽への入浴時に当該框の一方の長辺側に入浴者が背を付けて腰掛け可能な段部が設けられ、
前記框の一方の長辺には、洗い場が隣接して設けられているとともに、前記框の他方の長辺には、窓が隣接して設けられており、
前記浴槽は、前記段部に腰掛けた入浴者が前記窓に対面するように設置されていることを特徴とする浴槽ユニット。
【請求項２】
浴槽の上縁より外側に張り出す略矩形枠状の框を有し、この框の短辺同士及び長辺同士がそれぞれ同一長さに形成されて前記浴槽の設置方向を左右自在に設置できるようにした浴槽ユニットであって、
前記框の両長辺側のうちの一方の長辺側に位置する前記浴槽の壁面には、前記浴槽への入浴時に当該框の一方の長辺に入浴者が背を付けて腰掛け可能な段部が設けられているとともに、前記框の他方の長辺には、浴室への入室者が前記浴槽向きに着座可能なベンチを備えた洗い場が隣接して設けられており、
前記浴槽は、前記段部に腰掛けた入浴者が前記ベンチに着座した入室者に対面するように設置されていることを特徴とする浴槽ユニット。
【請求項３】
前記段部は、前記框の両短辺のうちの一方の短辺に近接して設けられている請求項１又は請求項２に記載の浴槽ユニット。
【請求項４】
前記段部は、前記浴槽への入浴時に大人の入浴者が腰掛けた状態での半身浴を可能とする高さに設定されている請求項１〜請求項３のいずれか１つに記載の浴槽ユニット。
【請求項５】
前記框の両短辺には浴室の壁面が隣接して設けられており、
前記段部と離反する前記框の他方の短辺側に位置する浴室の壁面には、前記浴槽への入浴を誘導する手摺が設けられている請求項１〜請求項４のいずれか１つに記載の浴槽ユニット。
【請求項６】
前記框の両短辺は、９９０ｍｍ以上の寸法に設定されている請求項１〜請求項５のいずれか１つに記載の浴槽ユニット。
【請求項７】
前記洗い場と離反する前記浴槽の壁面には、前記浴槽への入浴時に把持可能なグリップが設けられている請求項６に記載の浴槽ユニット。
【発明の詳細な説明】
【技術分野】
【０００１】
本発明は、浴槽の設置方向を左右自在に設置できるようにした浴槽ユニットに関するものである。
【背景技術】
【０００２】
従来より、この種浴槽ユニットとしては、浴槽の上縁より外側に張り出す略矩形枠状の框を有し、この框の短辺同士及び長辺同士をそれぞれ同一長さに形成して前記浴槽の設置方向を左右自在に設置できるようにしたものが知られている（特許文献１参照）。
【先行技術文献】
【特許文献】
【０００３】
【特許文献１】実開平５−３４９９１号公報
【発明の概要】
【発明が解決しようとする課題】
【０００４】
ところが、上記従来のものでは、浴槽に入浴した際に框の両短辺のうちの一方から他方に向かって足を延ばした入浴姿勢となる。このため、框の両長辺のうちの一方の長辺に洗い場が隣接して設けられていても、入浴者の顔が他方の短辺側を向いた状態となるため、洗い場の人物と入浴者との視線が合い難く、互いにコミュニケーションが得難い。一方、框の両長辺のうちの他方の長辺に窓が隣接して設けられている場合には、入浴者の視線が窓に向き辛いものとなり、入浴時に窓を介した開放感を得難い。
【０００５】
本発明は、かかる点に鑑みてなされたものであり、その目的とするところは、入浴者のニーズに応じて、洗い場の人物と入浴者とのコミュニケーションを得たり、入浴時の窓を介した開放感を得たりすることができる浴槽ユニットを提供することにある。
【課題を解決するための手段】
【０００６】
上記目的を達成するため、本発明が講じた解決手段は、浴槽の上縁より外側に張り出す略矩形枠状の框を有し、この框の短辺同士及び長辺同士がそれぞれ同一長さに形成されて前記浴槽の設置方向を左右自在に設置できるようにした浴槽ユニットを前提とする。更に、  前記框の両長辺側のうちの一方の長辺側に位置する前記浴槽の壁面に、前記浴槽への入浴時に当該框の一方の長辺側に入浴者が背を付けて腰掛け可能な段部を設け、前記框の一方の長辺に、洗い場を隣接して設けるとともに、前記框の他方の長辺に、窓を隣接して設ける。そして、前記浴槽を、前記段部に腰掛けた入浴者が前記窓に対面するように設置している。
この特定事項により、洗い場に隣接する框の一方の長辺側に位置する浴槽の壁面に段部を設け、この段部に腰掛けた入浴者が窓に対面するように浴槽が設置されているので、入浴時に段部に腰掛けた入浴者の顔が窓向きとなり、視線が窓に向いて窓を介した開放感が得られる。これにより、入浴者のニーズに応じた浴槽ユニットを提供することが可能となる。
【０００７】
また、上記目的を達成するため、本発明が講じたその他の解決手段は、浴槽の上縁より外側に張り出す略矩形枠状の框を有し、この框の短辺同士及び長辺同士がそれぞれ同一長さに形成されて前記浴槽の設置方向を左右自在に設置できるようにした浴槽ユニットを同様に前提とする。更に、前記框の両長辺側のうちの一方の長辺側に位置する前記浴槽の壁面に、前記浴槽への入浴時に当該框の一方の長辺に入浴者が背を付けて腰掛け可能な段部を設けるとともに、前記框の他方の長辺に、浴室への入室者が前記浴槽向きに着座可能なベンチを備えた洗い場を隣接して設ける。そして、前記浴槽を、前記段部に腰掛けた入浴者が前記ベンチに着座した入室者に対面するように設置している。
この特定事項により、洗い場に離反する框の一方の長辺側に位置する浴槽の壁面に段部を設け、この段部に腰掛けた入浴者が洗い場のベンチに着座した入室者に対面するように浴槽が設置されているので、入浴時に段部に腰掛けた入浴者と洗い場のベンチに着座した入室者とが互いに向き合えて互いの視線が合い、互いにコミュニケーションが得られる。これにより、入浴者のニーズに応じた浴槽ユニットを提供することが可能となる。
【０００８】
また、前記段部を、前記框の両短辺のうちの一方の短辺に近接して設けることが好ましい。
この場合には、段部が框の一方の短辺に近接しているので、他方の短辺側に入浴した入浴者と段部に着座した入浴者とが同じ方向を向いて並んで入浴できる。これにより、二人の入浴者が洗い場を向いて入浴していれば洗い場のベンチに着座した入室者とのコミュニケーションを、二人の入浴者が窓を向いて入浴していれば窓を介した開放感を、それぞれのニーズに応じて得ることができる。
しかも、他方の短辺側に入浴した大人の入浴者と段部に着座した子供の入浴者とが同じ方向を向いて並んで入浴することができ、大人と子供とのコミュニケーションを図ることができる。
【０００９】
また、前記段部を、前記浴槽への入浴時に大人の入浴者が腰掛けた状態での半身浴を可能とする高さに設定することが好ましい。
この場合には、段部が大人の入浴者の半身浴を可能とする高さに設定されているので、段部に腰掛けた状態での半身浴と、段部に腰掛けない状態での全身浴とを入浴時に選択することができる。
【００１０】
また、前記框の両短辺に浴室の壁面を隣接して設け、前記段部と離反する前記框の他方の短辺側に位置する浴室の壁面に、前記浴槽への入浴を誘導する手摺を設けることが好ましい。
この場合には、段部と離反する框の他方の短辺側の浴室の壁面に手摺が設けられているので、手摺に誘導されて入浴する入浴者は、段部と反対側の短辺側から入浴される。このため、手摺に誘導された入浴者が入浴時に段部に誤って足を取られることが確実に防止され、入浴者の誘導を円滑に行うことができる。
【００１１】
また、前記框の両短辺を、９９０ｍｍ以上の寸法に設定することが好ましい。
この場合には、框の両短辺が９９０ｍｍ以上の寸法に設定されているので、浴槽の長辺同士の間の寸法が十分に得られ、他方の短辺側に入浴した入浴者が余裕を持って入浴できる。しかも、段部に入浴者が着座した状態で、他方の短辺側に入浴した入浴者が一方の短辺側に足を延ばすこともできる。
【００１２】
更に、前記洗い場と離反する前記浴槽の壁面に、前記浴槽への入浴時に把持可能なグリップを設けることが好ましい。
この場合には、洗い場と離反する浴槽の壁面にグリップが設けられているので、框の両短辺が９９０ｍｍ以上の寸法に設定された幅広な浴槽への入浴時に入浴者がグリップを把持して出入りすることができる。
【発明の効果】
【００１３】
以上、要するに、段部に腰掛けた入浴者が窓に対面するように浴槽を設置したり、段部に腰掛けた入浴者が洗い場のベンチに着座した入室者に対面するように浴槽を設置したりすることで、入浴者のニーズに応じて、入浴時に段部に腰掛けた入浴者の顔が窓向きとなって窓を介した開放感、又は入浴時に段部に腰掛けた入浴者と洗い場のベンチに着座した入室者との互いの視線が合わせてコミュニケーションを得ることができる浴槽ユニットを提供することができる。
【図面の簡単な説明】
【００１４】
【図１】本発明の実施の形態に係る浴槽ユニットを適用した浴室を上方から見た斜視図である。
【図２】図１の浴槽を長辺の長手方向中央位置付近において切断した縦断側面図である。
【図３】図１の浴槽の斜視図である。
【図４】図３の浴槽を上方から見た平面図である。
【図５】浴槽の段部に大人が腰掛けた状態を示す図１相当図である。
【図６】段部に子供が腰掛けた状態で大人と並んで入浴している状態を示す図４相当図である。
【図７】段部に子供が腰掛けた状態で大人が足を延ばして入浴している状態を示す図４相当図である。
【図８】段部に子供が足を置いた状態で大人が足を延ばして入浴している状態を示す図４相当図である。
【図９】実施の形態の変形例に係る浴槽ユニットを適用した図１相当図であり、浴槽の設置方向を左右逆転させて段部に子供が腰掛けた状態で大人が浴室用ベンチに腰掛けて互いに対面している状態を示している。
【図１０】図９の浴槽を長辺の長手方向中央位置付近において切断した縦断側面図である。
【発明を実施するための形態】
【００１５】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００１６】
図１は本発明の第１の実施の形態に係る浴槽ユニットを適用した浴室を上方から見た斜視図を示し、この浴室１は、平面視で略矩形状を呈し、その周囲が４面の浴室壁面１１〜１４（浴室の壁面）により覆われている。また、浴室１には浴槽２が設置されている。この浴槽２は、外形が平面視で略Ｂ字状を呈する貯水部２０と、この貯水部２０の上縁より外側に張り出す略矩形枠状の框２１とを備えている。框２１は、それぞれ一対の短辺２２，２２及び長辺２３，２３からなる。この短辺２２同士及び長辺２３同士はそれぞれ同一長さに形成され、アンダーパン２５に対する浴槽２の設置方向を入浴者のニーズに応じて左右自在に反転させて設置できるようにしている。本実施の形態の浴槽２の設置方向では、框２１の両長辺２３のうちの一方の長辺２３（図１では右側の長辺）には洗い場３が隣接している。また、框２１の他方の長辺２３（図１では左側の長辺）には浴室１の長手方向一側（図１では左側）の浴室壁面１１が隣接している。この浴室壁面１１には、窓としての出窓１５が設けられ、この出窓１５が、框２１の他方の長辺２３（図１では左側の長辺）に隣接している。なお、洗い場３は、樹脂製の床パン３１によって構成されている。
【００１７】
前記浴室１の長手方向他側（図１では右側）の浴室壁面１２には、当該浴室壁面１２に沿って延びるベンチとしての浴室用ベンチ１６が設置されている。この浴室用ベンチ１６の長手方向一端側（図１では上側）の浴室壁面１３には、上下方向に延びるシャワータワー１７が設置されている。また、浴室用ベンチ１６の長手方向他端側（図１では下側）の浴室壁面１４には、洗い場３へ出入りするための出入口１８が設けられ、この出入口１８には扉１９が取り付けられている。
【００１８】
図２は長辺２３の長手方向中央位置付近において切断した浴槽２の縦断側面図を示している。この図２において、浴槽２は、断熱材２４により外方から覆われているとともに、その下部を外方から覆うタライ状のアンダーパン２５の底部にスペーサ（図示せず）を介して設置されている。前記アンダーパン２５の上縁は框２１と略一致する略矩枠状を呈し、そのうちの洗い場４側辺を除く３辺には、浴槽２に対応する浴室壁面１１，１３，１４の対応部位の下端が支持されている。また、アンダーパン２５の上縁の洗い場３側辺は、床パン３１の浴槽側縁より上方に立ち上がる水切り３２に支持されている。この水切り３２には、上端が框２１の一方の長辺２３に取り付けられて下方に延びるエプロン２６の下端が支持されている。また、床パン３１の残る３方の縁にも水切り（図示せず）が設けられ、これらの水切りにはそれぞれ浴室壁面１２〜１４の下端が水密状態で支持されている。なお、框２１の両短辺２２及び他方の長辺２３は、浴室壁面１１，１３，１４に対しそれぞれシール材（図示せず）を介して水密状態にシールされている。
【００１９】
また、浴槽２の貯留部２０の底面には、水栓２０１が設けられている。この水栓２０１は、框２１の両長辺２３の長手方向中央位置において一方の長辺２３側寄りに位置している。そして、貯留部２０は、水栓２０１を介して第１排水管２７１の上流端に接続されている。この排水管２７１は、框２１の両長辺２３の長手方向略中央位置をアンダーパン２５の底面に沿って洗い場３側に延び、洗い場３側の排水トラップ３２に接続された第２排水管２７２と合流して、第３排水管２７３の上流端に接続されている。
【００２０】
図３は浴槽の斜視図であり、図４は浴槽を上方から見た平面図である。これらの図にも示すように、框２１の一方の長辺２３側（図４では上側）に位置する浴槽２の壁面２０２は、外形が平面視で略Ｂ字状となる貯水部２０の２つの膨らみ部分に相当している。この２つの膨らみ部分はそれぞれ外方に円弧状に膨らんでおり、そのうちの一方の短辺２２側（図４では右側）に近接する一方の膨らみ部分には、浴槽２への入浴時に大人Ｌ（入浴者）が一方の膨らみ部分に背を付けて腰掛け可能な段部２８が設けられている。この段部２８は、略円弧状に内方に膨出して腰掛け可能な表面積を確保している。また、段部２８は、浴槽２の框２１から底面までの高さの略五分の二程度の高さに設けられ、図５に示すように、浴槽２への入浴時に大人Ｌが腰掛けた状態での半身浴を可能とする高さに設定されている。この場合、浴槽２は、段部２８に腰掛けた大人Ｌが出窓１５に対面するように設置されている
【００２１】
また、段部２８と離反する框２１の他方の短辺２２側（図１では上側）に位置する浴室壁面１３には、当該浴室壁面１３に沿って略水平に延びる手摺３０が設けられ、この手摺３０によって浴槽２への入浴が誘導されるようになっている。更に、出窓１５が隣接する框２１の一方の長辺２３側に位置する浴槽２の壁面２０２には、浴槽２への入浴時に把持可能なグリップ２９が設けられている。このグリップ２９は、浴槽２の壁面２０２の上部側における框２１の長辺２３の長手方向略中央位置に設置されている。
【００２２】
そして、框２１の両短辺２２は９９０ｍｍの寸法に設定され、浴槽２への入浴姿勢のバリエーションを拡大させている。例えば、図６に示すように、他方の短辺２２側（図６では左側）に近接する他方の膨らみ部分に背を付けて底面に着座した大人Ｌと段部２８に腰掛けた子供Ｓとが並んで入浴したり、図７に示すように、他方の短辺２２側（図７では左側）の壁面２０２に背を付けて底面に着座した大人Ｌが一方の短辺２２側（図７では右側）に足を延ばした状態で段部２８に子供Ｓ（入浴者）が腰掛けて入浴したり、図８に示すように、他方の短辺２２側（図８では左側）の壁面２０２に背を付けて底面に着座した大人Ｌが一方の短辺２２側（図８では右側）に足を延ばして入浴した状態で框２１に着座した子供Ｓが段部２８に足を載せて足湯したりして、大人Ｌのみならず、子供Ｓとの入浴姿勢のバリエーションが拡大される。この場合、浴槽ユニットは、出窓１５、浴室用ベンチ１６、浴槽２、段部２８、グリップ２９、手摺３０、洗い場３の他、浴室１に設置される全ての構成要件によって構成されている。
【００２３】
このように、洗い場３に隣接する框２１の一方の長辺２３側に位置する浴槽２の壁面２０２のそれぞれ外方に膨らむ膨らみ部分のうちの一方の膨らみ部分（浴室壁面１４側）に段部２８を設け、この段部２８に腰掛けた大人Ｌが出窓１５に対面するように浴槽２が設置されているので、入浴時に段部２８に腰掛けた大人Ｌの顔が窓向きとなり、視線が出窓１５に向いて出窓１５を介した開放感が得られる。これにより、入浴者Ｌ，Ｓのニーズに応じた浴槽ユニットを提供することができる。
【００２４】
また、段部２８が框２１の一方の短辺２２側（浴室壁面１４側）に近接する一方の膨らみ部分に設けられていることにより、他方の短辺側（浴室壁面１３側）に近接する他方の膨らみ部分に背を付けて底面に着座した大人Ｌと段部２８に着座した子供Ｓとが同じ方向を向いて並んで入浴でき、入浴者Ｌ，Ｓのコミュニケーションを図ることができる。
【００２５】
また、浴槽２への入浴時に大人Ｌが腰掛けた状態での半身浴を可能とする高さに段部２８が設定されているので、段部２８に腰掛けた状態での半身浴と、段部２８に腰掛けない状態での全身浴とを入浴時に選択することができる。
【００２６】
また、段部２８と離反する框２１の他方の短辺２２側に位置する浴室壁面１３に手摺３０が設けられているので、手摺３０に誘導されて入浴する入浴者は、段部２８と反対側の短辺２２側から入浴される。このため、手摺３０に誘導された入浴者が入浴時に段部２８に誤って足を取られることが確実に防止され、入浴者の誘導を円滑に行うことができる。
【００２７】
また、框２１の両短辺２２が９９０ｍｍの寸法に設定されているので、浴槽２の長辺２３同士の間の寸法が十分に得られ、段部２８と離反する他方の短辺２２側に入浴した入浴者が余裕を持って入浴することができる。しかも、段部２８を使って入浴者が足湯又は半身浴を行っている状態で、他方の短辺２２側の壁面２０２に背を付けて入浴した入浴者が一方の短辺２２側に足を延ばすこともできる。
【００２８】
更に、出窓１５が隣接する框２１の一方の長辺２３側の浴槽２の壁面２０２に、浴槽２への入浴時に把持可能なグリップ２９が設けられているので、框２１の両短辺が９９０ｍｍ以上の寸法に設定された幅広な浴槽への入浴時に入浴者Ｌ，Ｓがグリップ２９を把持して出入りすることができる。
【００２９】
次に、本発明の第２の実施の形態を図９及び図１０に基づいて説明する。この実施の形態では、第１の実施の形態で設置した浴槽の設置方向を出窓の廃止に伴い左右逆転させている。なお、出窓を除くその他の構成は、前記第１の実施の形態の場合と同じであり、同一部分については同じ符号を付してその詳細な説明は省略する。
【００３０】
すなわち、本実施の形態の浴槽２の浴槽２の設置方向では、図９に示すように、框２１の一方の長辺２３（図９では右側の長辺）には、洗い場３が隣接している。また、框２１の他方の長辺２３（図９では左側の長辺）には、浴室１の長手方向一側（図９では左側）の浴室壁面１１が隣接している。要するに、浴槽２は、図１０に示すアンダーパン２５に対する設置方向を入浴者のニーズに応じて前記第１の実施の形態の場合とは左右逆転させて設置している。このとき、浴槽２の貯留部２０の底面の水栓２０１は、框２１の両長辺２３の長手方向中央位置において他方の長辺２３側寄りに位置しているため、第１排水管２７１の長さを長くして水栓２０１から第２排水管２７２との合流部までの長さを確保している。
【００３１】
そして、框２１の他方の長辺２３側（浴室壁面１１側）に位置する浴槽２の壁面２０２はそれぞれ外方に膨らんでおり、そのうちの一方の短辺２２側（図９では上側）に近接する一方の膨らみ部分に、浴槽２への入浴時に大人Ｓ（入浴者）が腰掛け可能な段部２８が設けられている。また、段部２８と離反する框２１の他方の短辺２２側（図９では下側）に位置する浴室壁面１４には、当該浴室壁面１４に沿って略水平に延びる手摺３０が設けられている。更に、浴室壁面１１が隣接する框２１の他方の長辺２３側に位置する浴槽２の壁面２０２には、グリップ２９が設けられている。このグリップ２９は、浴槽２の壁面２０２の上部側における框２１の長辺２３の長手方向略中央位置に設置されている。この場合、浴槽２は、段部２８に腰掛けた入浴者Ｓが浴室用ベンチ１６に着座した大人Ｌ（入室者）に対面するように設置されている。また、浴槽ユニットは、浴室用ベンチ１６、浴槽２、段部２８、グリップ２９、手摺３０、洗い場３の他、浴室１に設置されるすべての構成要件によって構成されている。
【００３２】
このように、洗い場３に離反する框２１の他方の長辺２３側に位置する浴槽２の壁面２０２のそれぞれ外方に膨らむ膨らみ部分のうちの一方の膨らみ部分（浴室壁面１３側）に段部２８を設け、この段部２８に腰掛けた子供Ｓ（入浴者）が洗い場３の浴室用ベンチ１６に着座した大人Ｌ（入室者）に対面するように浴槽２が設置されているので、入浴時に段部２８に腰掛けた子供Ｓと洗い場３の浴室用ベンチ１６に着座した大人Ｌとが互いに向き合えて互いの視線が合い、互いにコミュニケーションが得られる。これにより、入浴者Ｌ，Ｓのニーズに応じた浴槽ユニットを提供することができる。
【００３３】
また、段部２８が框２１の一方の短辺２２に近接していることにより、他方の短辺２２側に入浴した大人Ｌと段部２８に着座した子供Ｓとが同じ方向を向いて並んで入浴でき、大人Ｌと子供Ｓとのコミュニケーションを図ることができる上、洗い場３の浴室用ベンチ１６に着座した大人Ｌとも互いに向き合えて相互間でのコミュニケーションを図ることもできる。
【００３４】
なお、本発明は、前記各実施の形態に限定されるものではなく、その他種々の変形例を包含している。例えば、前記各実施の形態では、框２１の両短辺２２を９９０ｍｍの寸法に設定したが、框の両短辺が９９０ｍｍを超える寸法に設定されていてもよいのはいうまでもない。
【００３５】
また、前記各実施の形態では、大人Ｌと子供Ｓとの浴槽２への入浴姿勢のバリエーションについて述べたが、大人同士や子供同士の浴槽への入浴姿勢のバリエーションにも適用できるのはもちろんである。
【００３６】
更に、前記各実施の形態では、洗い場３に隣接する框２１の一方の長辺２３側に位置する浴槽２の壁面２０２、又は洗い場３に離反する框２１の他方の長辺２３側に位置する浴槽２の壁面２０２にそれぞれ外方に膨らむ膨らみ部分を設けたが、框の長辺側に位置する浴槽の壁面の段部に対応する部分にのみ膨らみ部分が形成されていてもよい。
【符号の説明】
【００３７】
１３    浴室壁面（框の短辺側の浴室の壁面）
１４    浴室壁面（框の短辺側の浴室の壁面）
１５    出窓（窓）
１６    浴室用ベンチ（ベンチ）
２      浴槽
２０２  浴槽の壁面
２１    框
２２    短辺
２３    長辺
２８    段部
２９    グリップ
３      洗い場
３０    手摺
Ｌ      大人（入浴者、入室者）
Ｓ      子供（入浴者）
【図１】
2012239533.tif 000003
【図２】
2012239533.tif 000004
【図３】
2012239533.tif 000005
【図４】
2012239533.tif 000006
【図５】
2012239533.tif 000007
【図６】
2012239533.tif 000008
【図７】
2012239533.tif 000009
【図８】
2012239533.tif 000010
【図９】
2012239533.tif 000011
【図１０】
2012239533.tif 000012